(57)【要約】【課題】ＩＤコード入力が容易で安全な、そして、新しい認証情報の交換方法を可能とする無線通信機器を提供する。【解決手段】相手無線通信機器２０，１０との間で無線通信を行う送受信部を備え、無線通信により情報を送受信する無線通信機器１０，２０において、相手無線通信機器２０，１０との間で無線通信を行うための認証情報を記憶する記憶手段１１，２１と、無線通信時に使用する認証情報を音波に変更するスピーカ部２５と、相手無線通信機器２０，１０からの音波を受信して認証情報に変換するマイク部１５と、相手無線通信機器２０，１０から送信され、変換された認証情報と記憶手段１１，２１に記憶している認証情報とを基に認証処理を行う認証手段と、を備える。【選択図】        図１
2004363670.tif 000002
【特許請求の範囲】
【請求項１】
相手無線通信機器との間で無線通信を行う送受信部を備え、無線通信により情報を送受信する無線通信機器において、
相手無線通信機器との間で無線通信を行うための認証情報を記憶する記憶手段と、無線通信時に使用する認証情報を音波に変更するスピーカ部と、相手無線通信機器からの音波を受信して認証情報に変換するマイク部と、該マイク部で変換した認証情報と前記憶手段に記憶している認証情報とを基に認証処理を行う認証手段と、を備えることを特徴とする無線通信機器。
【請求項２】
上記スピーカ部は、認証情報以外に音声情報も音波に変換する請求項１記載の無線通信機器。
【請求項３】
上記認証情報と音声情報とを選択して上記スピーカ部に入力させるスピーカ部選択機能を有する請求項２記載の無線通信機器。
【請求項４】
上記マイク部は、認証情報を変換した音波以外の音波も音声情報に変換する請求項１記載の無線通信機器。
【請求項５】
上記マイク部に入力した音波を変換した認証情報と、それ以外の音声情報とを選択するマイク部選択機能を有する請求項４記載の無線通信機器。
【発明の詳細な説明】
【０００１】
【発明の属する技術分野】
本発明は、無線通信によって情報の送受信を行う無線通信機器及び認証コードの交換方法に関する。
【０００２】
【従来の技術】
近年、コンピュータやその周辺機器、家電製品などを、無線インターフェース（以下、無線Ｉ／Ｆという）により接続し、無線Ｉ／Ｆを介してデータの送受信を行うことにより、接続の煩雑さ及び使い勝手の向上を図ろうとする技術が多数存在している。
【０００３】
コンピュータや、その周辺機器を無線Ｉ／Ｆによってデータの送受信を行う場合、送受信相手を特定及び認識を行うために、個別の認証コード（以後、「ＩＤコード」と称す）が必要になる。このＩＤコードには、接続相手を特定する情報が含まれており、接続する機器間で夫々の機器が有している個別の認証コード（例えばＢｌｕｅｔｏｏｔｈならばＰＩＮコード等）を相手機器に入力する必要がある。
【０００４】
このＩＤコードは、通常、キーボード等の入力手段を利用して、コンピュータやその周辺機器などの無線情報通信機器に入力することにより、相互の接続機器の認識を行う。このＩＤコードを入力した後は、有線で接続した機器と同様に、情報の送受信を行うことが可能となる。
【０００５】
また、特許文献１には、ＵＳＢ（Ｕｎｉｖｅｒｓａｌ  Ｓｅｒｉａｌ  Ｂｕｓ）ポートを介して認証情報を送受信し、より容易にＩＤコードの認証を行う無線通信機器システムが開示されている。
【０００６】
【特許文献１】
特開２００１−１７７５９９号公報
【０００７】
【発明が解決しようとする課題】
しかしながら、このような従来の無線通信機器システムにあっては、ＩＤコードを入力する際にキーボード等で手入力を行う事となり、操作が煩雑になり入力を間違える可能性がある。また、ＵＳＢケーブル等を用いてＩＤコードの交換を行う方法では、認証時に有線接続をすることになり無線機器の設置上困難な場合がある。また、ＩＤコード自体を無線通信にて送信することは、壁越しにデータを盗まれる可能性があるため危険である。
【０００８】
本発明は、このような課題に鑑みてなされたものであって、ＩＤコード入力が容易で安全な、そして、新しい認証情報の交換方法を可能とする無線通信機器を提供することを目的としている。
【０００９】
【課題を解決するための手段】
本発明は、相手無線通信機器との間で無線通信を行う送受信部を備え、無線通信により情報を送受信する無線通信機器において、相手無線通信機器との間で無線通信を行うための認証情報を記憶する記憶手段と、無線通信時に使用する認証情報を音波に変更するスピーカ部と、相手無線通信機器からの音波を受信して認証情報に変換するマイク部と、該マイク部で変換した認証情報と前記憶手段に記憶している認証情報とを基に認証処理を行う認証手段と、を備える無線通信機器である。
【００１０】
また、本発明は、上記スピーカ部は、認証情報以外に音声情報も音波に変換する無線通信機器である。
【００１１】
そして、本発明は、上記認証情報と音声情報とを選択して上記スピーカ部に入力させるスピーカ部選択機能を有する無線通信機器である。
【００１２】
更に、本発明は、上記マイク部は、認証情報を変換した音波以外の音波も音声情報に変換する無線通信機器である。
【００１３】
また、本発明は、上記マイク部に入力した音波を変換した認証情報と、それ以外の音声情報とを選択するマイク部選択機能を有する無線通信機器である。
【００１４】
【発明の実施の形態】
本発明の実施の形態を説明する。
以下、本発明の無線通信機器の実施形態について、図１〜図５を用いて詳細に説明する。図１は、実施の形態１の無線通信機器の構成を示すブロック図である。図２は、実施の形態１の無線通信機器のＩＤコード交換時のフローチャートの一例の説明図である。図３は、実施の形態１の無線通信機器のＩＤコード交換時のフローチャートの一例の説明図である。図４は、実施の形態２の無線通信機器の構成を示すブロック図である。図５は、実施の形態３の無線通信機器の構成を示すブロック図である。
【００１５】
実施形態１を説明する。図１は、本発明の第１の実施形態の無線通信機器の構成を示すブロック図である。無線通信機器システムとして、無線送信機と無線受信機との機器間で無線通信によりデータの送受信を行う場合に適用した例である。
【００１６】
図１において、１０，２０は無線データを送受信する無線通信機器であり、無線通信機器１０がＩＤを受け取り、無線通信機器２０がＩＤを送出する機器となる。
【００１７】
無線通信機器１０，２０は、本装置全体を制御する制御部であるＣＰＵ１３，２３（認証手段）と、制御プログラムや固定データ等を記憶するＲＯＭ、ＣＰＵ１３，２３の作業用記憶領域であるＲＡＭからなりＩＤコードを記憶するメモリ１１，２１（記憶手段）と、電波を送受信するアンテナ１６，２６と、アンテナ１６，２６に接続され相手端末と無線通信を行う無線部を備える通信コントロール部１２，２２（通信手段）と、無線通信を行う際、お互いの機器の認証に必要な認証情報を無線通信により交換するための認証開始装置であるＩＤ認証ボタン１７，２７（認証開始ボタン）を備えて構成される。また、無線通信機器２０は音声を発生するスピーカ２５と、スピーカ２５に入力する音声をＣＰＵ２３から受け取りアナログ化するＤ／Ａ２４を有する。無線通信機器１０は音声を受信するマイク１５と受信した音声をＣＰＵ１３に渡す為にデジタル化するＡ／Ｄ１４からなる。
【００１８】
無線通信機器１０，２０は、ＡＶデータを離れた場所に伝送する無線通信機器を想定している。
【００１９】
ＣＰＵ２３は、相手無線通信機器との間で無線通信を行うための認証情報をメモリ２１から読み込み、相手側無線通信機器に送信し、相手側無線通信機器では、送信されたＩＤコードを受信してメモリ１１に記憶する制御を行う。そして、相互通信を行う際、メモリ２１，１１に記憶しているＩＤコードと相手無線通信機器から送信されたＩＤコードを基に認証処理を行う。
【００２０】
メモリ２１，１１は、ＲＯＭとＲＡＭなどからなる。ＲＯＭは、ＣＰＵ１３，２３が動作する際に必要なプログラム、制御データ等の固定データを記憶する読出し専用の半導体メモリである。ＲＡＭは、認証処理に関するデータ、演算に使用するデータ及び演算結果等を一時的に記憶するいわゆるワーキングメモリとして使用される。無線通信機器１０，２０で処理されるプログラムは、このＲＡＭに展開されて実行される。また、ＲＡＭの一部は、電気的に書換可能な不揮発性メモリであるＥＥＰＲＯＭ（ｅｌｅｃｔｒｉｃａｌｌｙ  ｅｒａｓａｂｌｅ  ｐｒｏｇｒａｍｍａｂｌｅ  ＲＯＭ）からなり、ＥＥＰＲＯＭに書き込むプログラムを変えることによって、特に無線通信機器１０，２０における各種の仕様を変更することができる。これら２つの無線通信機器１０，２０が、無線通信によって情報の送受信を行うには、相互に個別認証が必要である。
【００２１】
以下、上述のように構成された無線通信機器の動作を説明する。図２は、無線通信機器１０，２０同士のＩＤコード交換時における、ＩＤ送出側の無線通信機器２０のフローチャートであり、本プログラムはＣＰＵ２３により実行される。図中Ｓはフローの各ステップを示す。
【００２２】
ＩＤ認証ボタン２７が押下されるかをステップＳ０１で行われ、押下が確認されると、ステップＳ０２でＣＰＵ２３がメモリ２１よりＩＤコードを読み込み、ステップＳ０３でＣＰＵ２３はＤ／Ａ２４にＩＤコードを送信する。ここでＩＤコードは暗号化されたものであっても良い。ステップＳ０４でＤ／Ａ２４は受け取ったＩＤコードをアナログ化し、スピーカ２５に受け渡す。ここでスピーカの出力を制御する為に図示されていないがアンプを経由することが可能である。ステップＳ０５でスピーカ２５からＩＤコードを発信し、ステップＳ０６で、相手先無線通信機器１０からの応答を待つ。相手無線通信機器１０からの応答があればステップＳ０７でＣＰＵ２３に通知し終了する。
【００２３】
図３は、無線通信機器１０，２０同士のＩＤコード交換時における、ＩＤ受信側の無線通信機器１０のフローチャートであり、本プログラムはＣＰＵ１３により実行される。
【００２４】
ＩＤ認証ボタン１７が押下されることにより、ステップＳ１２でマイク１５からの入力をＡ／Ｄ１４に送り、ステップＳ１３でＡ／Ｄ１４によりデジタル化されたＩＤコードをＣＰＵ１３に送る。ステップＳ１４でＣＰＵ１３は入力した音声データがＩＤコードであるか判断し、ＩＤコードであることが判明すると、ステップＳ１５でメモリ１１にＩＤを書き込む。次にステップＳ１６で受け取ったＩＤコードを用い通信コントロール部１２がステップＳ１７でＩＤコードを受け取った事を相手無線通信機器２０に対して送信し、終了する。この作業により、２つの無線情報通信機器のＩＤコードが同一となり、相互に通信をすることが可能になる。
【００２５】
実施形態２を説明する。図４は、本発明の第２の実施形態の無線通信機器の構成を示すブロック図である。図１と同一構成部分には同一符号を付して重複箇所の説明を省略する。図４において、スピーカ２５はＩＤ認証用の特別の物ではなく、普段はＴＶの音声出力等、ＴＶ音声処理部２８が別の用途で用いている。ここで、ＩＤ認証の際は、ＣＰＵ２３がセレクタ２９を切り替えて、Ｄ／Ａ２４の出力を選択する。このような構成にすることによりスピーカを新たに増設することなくＩＤ認証を行うことが出来る。
【００２６】
実施形態３を説明する。図５は、本発明の第３の実施形態の無線通信機器の構成を示すブロック図である。図１と同一構成部分には同一符号を付して重複箇所の説明を省略する。
【００２７】
図５において、マイク１５はＩＤ認証用の特別の物ではなく、普段はＶＣＲの音声入力等、ＶＣＲ音声処理部１８が別の用途で用いている。ここで、ＩＤ認証の際は、ＣＰＵ１３がデマルチプレクサ１９を切り替えて、Ａ／Ｄ１４の入力に切り替える。このような構成にすることによりマイクを新たに増設することなくＩＤ認証を行うことが出来る。
【００２８】
以上、実施形態で詳述したように、本発明によれば、認証情報を音声によりやり取りすることで、特別な機器を用いることなく、また機器同士が離れたまま音声の届く範囲で認証情報の交換方法を実現することができる。
【００２９】
【発明の効果】
本発明によれば、ＩＤコード入力が容易で安全な、そして、新しい認証情報の交換方法を可能とする無線通信機器を得ることができる。
【図面の簡単な説明】
【図１】実施の形態１の無線通信機器の構成を示すブロック図。
【図２】実施の形態１の無線通信機器のＩＤコード交換時のフローチャートの一例の説明図。
【図３】実施の形態１の無線通信機器のＩＤコード交換時のフローチャートの一例の説明図。
【図４】実施の形態２の無線通信機器の構成を示すブロック図。
【図５】実施の形態３の無線通信機器の構成を示すブロック図。
【符号の説明】
１０，２０  無線通信機器
１１，２１  メモリ（記憶手段）
１２，２２  通信コントロール部（通信手段）
１３，２３  ＣＰＵ（認証手段）
１４  Ａ／Ｄ
１５  マイク
１６，２６  アンテナ
１７，２７  ＩＤ認証ボタン（認証開始ボタン）
２４  Ｄ／Ａ
２５  スピーカ
２８  ＴＶ音声処理部
２９  セレクタ
１８  ＶＣＲ音声処理部
１９  デマルチプレクサ
【図１】
2004363670.tif 000003
【図２】
2004363670.tif 000004
【図３】
2004363670.tif 000005
【図４】
2004363670.tif 000006
【図５】
2004363670.tif 000007